(57)【要約】【課題】  原子核の磁気モーメントと、陽子の自転軌道と１自転でできる磁気の光子のエネルギーと、中性子の電子の自転軌道と１自転でできる磁気の光子のエネルギーの関係はどのようであるか。【解決手段】  １／２スピンで、磁気モーメントが＋Ａ、−Ａであると、１自転でできる磁気の光子１個のエネルギー×自転軌道は、５．０５０８×１０−５９×ＡＪ・ｍです。果たして、軌道がＡ倍であるのか。それとも、エネルギーがＡ倍であるのか。エネルギーがＡ倍であるとすると、自転軌道は核磁子の自転軌道で一定です。もし、元素によって電子のラブの質量エネルギーが異なるとしますと、星の中の中央でできた元素ほど、電子のラブの質量エネルギーは大きいはずです。Ａの値は、原子番号の大きいほど大きいはずです。しかし、Ａの値はその逆です。Ｈが１番大きい値です。それで、軌道がＡ倍であると考えます。【選択図】図７
2006197793.tif 000002
【特許請求の範囲】
【請求項１】
核磁子は５．０５０８×１０−２７Ｊ／Ｔ＝５．０５０８×１０−２７Ｊ・ｍであり、これは、陽子のラブの公転軌道エネルギーです。
核磁子は５．０５０８×１０−２７Ｊ／Ｔです。
これは、束になっている磁気の光子の１秒間の運動エネルギーです。
磁気の光子は１０８個が束になっていて、これは１公転になっています。
５．０５０８×１０−２７Ｊ／Ｔは、陽子のラブが１秒間に作る磁気の光子のエネルギー×公転軌道です。
５．０５０８×１０−２７Ｊ／Ｔ＝束になっている磁気の光子の１秒間の運動エネルギー＝陽子のラブが１秒間に作る、束になっている磁気の光子のエネルギー×１公転軌道＝５．０５０８×１０−２７Ｊ・ｍ＝公転軌道エネルギー  です。
核磁子は５．０５０８×１０−２７Ｊ／Ｔ＝５．０５０８×１０−２７Ｊ・ｍであり、これは、陽子のラブの公転軌道エネルギーです。
本発明者が今まで考えていた陽子と、核磁子を作る陽子を区別するために、（核磁子の）陽子と記す。
（核磁子の）陽子のラブの自転軌道エネルギーは、自転軌道は公転軌道の１０−８倍ですから、核磁子の１０−８倍です。
（核磁子の）陽子のラブの自転軌道エネルギーは、
５．０５０８×１０−２７Ｊ／Ｔ×１０−８＝５．０５０８×１０−３５Ｊ／Ｔ＝５．０５０８×１０−３５Ｊ・ｍです。
これは、陽子のラブが１秒間に作る磁気の光子のエネルギー×自転軌道＝引力の式です。
（核磁子の）陽子のラブが１自転してできる磁気の光子１個のエネルギー×自転軌道は、核磁子の  １０２４分の１×１０−８＝１０−２４−８＝１０−３２倍です。
（核磁子の）陽子のラブが１自転してできる磁気の光子１個のエネルギー×自転軌道＝５．０５０８×１０−２７Ｊ／Ｔ×１０−３２倍＝５．０５０８×１０−５９Ｊ・ｍです。
【請求項２】
１／２スピンで、核磁気モーメントが＋Ａであると、陽子のラブの公転軌道エネルギーは、５．０５０８×１０−２７×ＡＪ・ｍです。
１秒間にできる磁気の光子のエネルギー×自転軌道は、５．０５０８×１０−３５×ＡＪ・ｍです。これは引力の式です。１自転でできる磁気の光子１個のエネルギー×自転軌道は、５．０５０８×１０−５９×ＡＪ・ｍです。
１／２スピンで、核磁気モーメントが−Ａであると、中性子の電子のラブの公転軌道エネルギーは、５．０５０８×１０−２７×ＡＪ・ｍです。１秒間にできる磁気の光子のエネルギー×自転軌道は、５．０５０８×１０−３５×ＡＪ・ｍです。これは引力の式です。１自転でできる磁気の光子１個のエネルギー×自転軌道は、５．０５０８×１０−５９×ＡＪ・ｍです。
【請求項３】
１自転でできる磁気の光子１個のエネルギー×自転軌道は、５．０５０８×１０−５９×ＡＪ・ｍです。はたして、１自転でできる磁気の光子１個のエネルギーがＡ倍であるのか、自転軌道がＡ倍であるのか。
▲１▼１自転でできる磁気の光子１個のエネルギーがＡ倍であるとする。
エネルギーがＡ倍であるとすると、自転軌道はどの元素も同じです。自転軌道は（核磁子の）陽子のラブの自転軌道で一定です。それなのに、エネルギーは元素によって変わっている。この事は、中性子の電子のラブの質量エネルギーは元素によって異なる。陽子のラブの質量エネルギーは元素によって異なる事です。
もし、元素によって電子のラブの質量エネルギーが異なるとしますと、星の中の中央でできた元素ほど、中性子の電子のラブの質量エネルギーは大きいはずです。陽子のラブの質量エネルギーは大きいはずです。Ａの値は、原子番号の大きいほど大きいはずです。
しかし、Ａの値はその逆です。Ｈが１番大きい値です。
３２Ｈｅは、１／２スピンで−２．１２７５６です。２４１９４Ｐｕは、５／２スピンで−０．６９ですから、１／２スピンで−０．１３８です。
この事から、中性子の電子のラブの質量エネルギーはどの元素も同じである。陽子のラブの質量エネルギーはどの元素も同じである。
それで、軌道がＡ倍であると考えます。
▲２▼軌道がＡ倍です。
ラブの自転軌道＝核磁子の自転軌道×Ａ
１自転でできる磁気の光子１個のエネルギー×自転軌道＝５．０５０８×１０−５９×ＡＪ・ｍですから、自転軌道＝５．０５０８×１０−５９×ＡＪ・ｍ÷１自転でできる磁気の光子１個のエネルギー
核磁子の自転軌道×Ａ＝５．０５０８×１０−５９×ＡＪ・ｍ÷１自転でできる磁気の光子１個のエネルギー
核磁子の自転軌道＝５．０５０８×１０−５９Ｊ・ｍ÷１自転でできる磁気の光子１個のエネルギー
１自転でできる磁気の光子１個のエネルギー＝５．０５０８×１０−５９Ｊ・ｍ÷核磁子の自転軌道
【請求項４】
核磁子の自転軌道と１自転でできる磁気の光子１個のエネルギーはどれ位か。
本発明者の考えている、陽子のラブの自転軌道は６．６７×１０−２２ｍで、１自転でできる磁気の光子１個のエネルギーは８×１０−３８Ｊです。
陽子のラブの自転軌道×１自転でできる磁気の光子１個のエネルギー＝６．６７×１０−２２ｍ×８×１０−３８Ｊ＝５．３３６×１０−５９Ｊ・ｍ
核磁子の、陽子のラブの自転軌道×１自転でできる磁気の光子１個のエネルギー＝５．０５０８×１０−５９Ｊ・ｍですから、
本発明者の考えている陽子のラブは、５．３３６×１０−５９Ｊ・ｍ÷（５．０５０８×１０−５９Ｊ・ｍ）＝１．０５６４６６１．０５６４６６核磁子です。
本発明者の考えている陽子のラブは、磁気モーメントが１．０５６４６６です。
それで、（核磁子の）陽子のラブの自転軌道は、６．６７×１０−２２ｍ÷１．０５６４６６＝６．３１３５×１０−２２ｍです。
１自転でできる磁気の光子１個のエネルギーは、８×１０−３８Ｊです。
（核磁子の）陽子のラブの公転軌道は、６．３１３５×１０−１４ｍです。
（核磁子の）陽子のラブの自転軌道×１自転でできる磁気の光子１個のエネルギー＝６．３１３５×１０−２２ｍ×８×１０−３８Ｊ＝５．０５０８×１０−５９Ｊ・ｍです。
（核磁子の）陽子のラブの自転軌道×陽子のラブが１秒間自転してできる磁気の光子のエネルギー＝６．３１３５×１０−２２ｍ×８×１０−３８Ｊ×１０２４＝５．０５０８×１０−３５Ｊ・ｍです。
（核磁子の）陽子のラブの公転軌道×陽子のラブが１秒間自転してできる磁気の光子のエネルギー＝６．３１３５×１０−１４ｍ×８×１０−３８Ｊ×１０２４＝５．０５０８×１０−２７Ｊ・ｍです。
【請求項５】
核磁気モーメントが＋Ａ又は、−Ａの場合、ラブが１自転してできる磁気の光子１個のエネルギーと、ラブが１秒間自転してできる磁気の光子のエネルギーと、ラブの自転軌道と、ラブの公転軌道と、ラブが１自転してできる磁気の光子１個のエネルギー×ラブの自転軌道と、ラブが１秒間自転してできる磁気の光子のエネルギー×ラブの自転軌道と、ラブが１秒間自転してできる磁気の光子のエネルギー×ラブの公転軌道と、ラブの秒速  の式はどのようであるか。
ラブが１自転してできる磁気の光子１個のエネルギーは、８×１０−３８Ｊです。
ラブが１秒間自転してできる磁気の光子のエネルギーは、８×１０−３８Ｊ×１０２４個＝８×１０−１４Ｊです。
ラブの自転軌道は、核磁子の自転軌道×Ａ＝６．３１３５×１０−２２ｍ×Ａ  です。
ラブの公転軌道は、核磁子の自転軌道×１０８×Ａ＝６．３１３５×１０−１４ｍ×Ａ  です。
ラブが１自転してできる磁気の光子１個のエネルギー×ラブの自転軌道＝８×１０−３８Ｊ×６．３１３５×１０−２２ｍ×Ａ＝５．０５０８×１０−５９×ＡＪ・ｍ
ラブが１秒間自転してできる磁気の光子のエネルギー×ラブの自転軌道＝８×１０−１４Ｊ×６．３１３５×１０−２２ｍ×Ａ＝５．０５０８×１０−３５×ＡＪ・ｍ
ラブが１秒間自転してできる磁気の光子のエネルギー×ラブの公転軌道＝８×１０−１４Ｊ×６．３１３５×１０−１４ｍ×Ａ  ＝５．０５０８×１０−２７×ＡＪ・ｍ
秒速＝３．１４×公転軌道×１０１６＝３．１４×６．３１３５×１０−１４ｍ×Ａ×１０１６＝１．９８２４×１０３ｍ×Ａ
【請求項６】
中性子の核磁気モーメントは、−１．９１３です。中性子の電子のラブの自転軌道と公転軌道はどれ位か。中性子の陽子のラブの自転軌道はどれ位か。中性子の電子のラブの自転軌道×中性子の電子のラブが１自転してできる磁気の光子１個のエネルギーはどれ位か。中性子の電子のラブの自転軌道×中性子の電子のラブが１秒間自転してできる磁気の光子のエネルギーはどれ位か。中性子の電子のラブの公転軌道×中性子の電子のラブが１秒間自転してできる磁気の光子のエネルギーはどれ位か。中性子の電子のラブの秒速はどれ位か。
中性子の電子のラブの自転軌道は、６．３１３５×１０−２２ｍ×１．９１３＝１．２０７８×１０−２１ｍです。
中性子の電子のラブの公転軌道は、６．３１３５×１０−１４ｍ×１．９１３＝１．２０７８×１０−１３ｍです。
中性子の陽子のラブの自転軌道は、中性子の電子のラブの自転軌道の１８７５分の１ですから、１．２０７８×１０−２１ｍ÷１８７５＝６．４４１６×１０−２５ｍです。
中性子の電子のラブの自転軌道×中性子の電子のラブが１自転してできる磁気の光子１個のエネルギー＝１．２０７８×１０−２１ｍ×８×１０−３８Ｊ＝９．６６２×１０−５９Ｊ・ｍ
中性子の電子のラブの自転軌道×中性子の電子のラブが１秒間自転してできる磁気の光子のエネルギー＝１．２０７８×１０−２１ｍ×８×１０−１４Ｊ＝９．６６２×１０−３５Ｊ・ｍ
中性子の電子のラブの公転軌道×中性子の電子のラブが１秒間自転してできる磁気の光子のエネルギー＝１．２０７８×１０−１３ｍ×８×１０−１４Ｊ＝９．６６２×１０−２７Ｊ・ｍ
中性子の電子のラブの秒速は、１．９８２４×１０３ｍ×１．９１３＝３．７９２×１０３ｍです。
【請求項７】
核磁気モーメントの＋Ａの平均は約＋０．７です。この場合、陽子のラブの自転軌道と、陽子のラブの公転軌道と、陽子のラブの自転軌道×陽子のラブが１自転してできる磁気の光子１個のエネルギーと、陽子のラブの自転軌道×陽子のラブが１秒間自転してできる磁気の光子のエネルギーと、陽子のラブの公転軌道×陽子のラブが１秒間自転してできる磁気の光子のエネルギーと、陽子のラブの秒速はどれ位か。
陽子のラブの自転軌道は、６．３１３５×１０−２２ｍ×０．７＝４．４１９×１０−２２ｍです。
陽子のラブの公転軌道は、４．４１９×１０−２２ｍ×１０８＝４．４１９×１０−１４ｍです。
陽子のラブの自転軌道×陽子のラブが１自転してできる磁気の光子１個のエネルギー＝４．４１９×１０−２２ｍ×８×１０−３８Ｊ＝３．５３５２×１０−５９Ｊ・ｍ
陽子のラブの自転軌道×陽子のラブが１秒間自転してできる磁気の光子のエネルギー＝４．４１９×１０−２２ｍ×８×１０−１４Ｊ＝３．５３５２×１０−３５Ｊ・ｍ
陽子のラブの公転軌道×陽子のラブが１秒間自転してできる磁気の光子のエネルギー＝４．４１９×１０−２２ｍ×１０８×８×１０−１４Ｊ＝３．５３５２×１０−２７Ｊ・ｍ
陽子のラブの秒速は、１．９８２４×１０３ｍ×０．７＝１．３８７７×１０３ｍです。
【請求項８】
核磁気モーメントの−Ａの平均は約−０．１５です。この場合、中性子の電子のラブの自転軌道と、公転軌道と、中性子の陽子のラブの自転軌道と、中性子の電子のラブの自転軌道×中性子の電子のラブが１自転してできる磁気の光子１個のエネルギーと、中性子の電子のラブの自転軌道×中性子の電子のラブが１秒間自転してできる磁気の光子のエネルギーと、中性子の電子のラブの公転軌道×中性子の電子のラブが１秒間自転してできる磁気の光子のエネルギーと、中性子の電子のラブの秒速はどれ位か。
中性子の電子のラブの自転軌道は、６．３１３５×１０−２２ｍ×０．１５＝９．４７×１０−２３ｍです。
中性子の電子のラブの公転軌道は、９．４７×１０−２３ｍ×１０８＝９．４７×１０−１５ｍです。
中性子の陽子のラブの自転軌道は、９．４７×１０−２３ｍ÷１８７５＝５×１０−２６ｍです。
中性子の電子のラブの自転軌道×中性子の電子のラブが１自転してできる磁気の光子１個のエネルギー＝９．４７×１０−２３ｍ×８×１０−３８Ｊ＝７．５７６×１０−６０Ｊ・ｍ
中性子の電子のラブの自転軌道×中性子の電子のラブが１秒間自転してできる磁気の光子のエネルギー＝９．４７×１０−２３ｍ×８×１０−１４Ｊ＝７．５７６×１０−３６Ｊ・ｍ
中性子の電子のラブの公転軌道×中性子の電子のラブが１秒間自転してできる磁気の光子のエネルギー＝９．４７×１０−１５ｍ×８×１０−１４Ｊ＝７．５７６×１０−２８Ｊ・ｍ
中性子の電子のラブの秒速は、１．９８２４×１０３×０．１５＝２．９７３×１０２ｍです。
【請求項９】
中性子はどのようになっているか。
中性子は中性子の電子のラブの自転のなかで、中性子の陽子のラブが自転しています。
中性子の電子のラブが公転すると、中性子の陽子のラブは、いわば、中性子の電子のラブの車に乗った状態で、共に公転します。
中性子の電子のラブが１自転で作る磁気の光子１個のエネルギーは、８×１０−３８Ｊです。
１秒間自転して作る磁気の光子のエネルギーは、８×１０−１４Ｊです。この磁気の光子のエネルギーが引力になり、中性子の陽子のラブを引いている。
中性子の陽子のラブが１自転で作る磁気の光子１個のエネルギーは、８×１０−３８Ｊです。
１秒間自転して作る磁気の光子のエネルギーは、８×１０−１４Ｊです。この磁気の光子のエネルギーが引力になり、中性子の電子のラブを引いている。
中性子の電子のラブと陽子のラブはお互い引き合って自転しているので、自転の方向は同じです。自転の回数は同じです。
中性子の電子のラブは、１０８回自転し、１公転する。１秒間に１０２４回自転し、１０１６回公転する。
中性子の電子のラブの自転軌道は、核磁気モーメントが−Ａの場合、（核磁子の）陽子のラブの自転軌道×Ａです。
中性子の陽子のラブの自転軌道は、中性子の電子のラブの自転軌道の１８７５分の１です。
中性子の大きさは、中性子の電子のラブの自転軌道であるとも理解できる。
中性子の大きさは、中性子の電子のラブの公転軌道であるとも理解できる。
【請求項１０】
どうして、中性子の磁気モーメントは−より現れないのか。
中性子の陽子のラブと中性子の電子のラブが１秒間に作る磁気の光子のエネルギーは８×１０−１４Ｊで、等しい。
中性子の陽子のラブの自転軌道は、中性子の電子のラブの自転軌道の１８７５分の１です。
それで、引力の式である、自転軌道×１秒間にできる磁気の光子のエネルギーは
中性子の電子のラブが１秒間自転してできる磁気の光子のエネルギー×中性子の電子のラブの自転軌道＝８×１０−１４Ｊ×６．３１３５×１０−２２ｍ×Ａ＝５．０５０８×１０−３５×ＡＪ・ｍ
中性子の陽子のラブが１秒間自転してできる磁気の光子のエネルギー×中性子の陽子ラブの自転軌道＝８×１０−１４Ｊ×６．３１３５×１０−２２ｍ×Ａ÷１８７５＝２．６９３８×１０−３８×ＡＪ・ｍ
それで、１ｍの軌道では、中性子の電子のラブが作る磁気の光子のエネルギーは、５．０５０８×１０−３５×ＡＪで、中性子の陽子のラブが作る磁気の光子のエネルギーは、２．６９３８×１０−３８×ＡＪです。
よって、１ｍの軌道では、中性子の陽子のラブが作る磁気の光子のエネルギーは、中性子の電子のラブが作る磁気の光子のエネルギーの、２．６９３８×１０−３８×ＡＪ÷（５．０５０８×１０−３５×ＡＪ）＝５．３３３×１０−４倍ですから、＋の磁気モーメントは現れない。
【請求項１１】
中性子と陽子と電子の引力について。
中性子の陽子のラブは１秒間に８×１０−１４Ｊの磁気の光子を作り、これが引力になっている。
中性子の電子のラブは１秒間に８×１０−１４Ｊの磁気の光子を作り、これが引力になっている。
陽子のラブは１秒間に８×１０−１４Ｊの磁気の光子を作り、これが引力になっている。
電子のラブは１秒間に８×１０−１４Ｊの磁気の光子を作り、これが引力になっている。
中性子の陽子のラブは１自転で８×１０−３８Ｊの磁気の光子を作り、これが引力になっている。
中性子の電子のラブは１自転で８×１０−３８Ｊの磁気の光子を作り、これが引力になっている。
陽子のラブは１自転で８×１０−３８Ｊの磁気の光子を作り、これが引力になっている。
電子のラブは１自転で８×１０−３８Ｊの磁気の光子を作り、これが引力になっている。
中性子の陽子のラブは１公転で８×１０−３０Ｊの磁気の光子を作り、これが引力になっていて、これが電気の光子となっている。中性子の電子のラブは１公転で８×１０−３０Ｊの磁気の光子を作り、これが引力になっていて、これが電気の光子となっている。陽子のラブは１公転で８×１０−３０Ｊの磁気の光子を作り、これが引力になっていて、これが電気の光子になっている。
電子のラブは１公転で８×１０−３０Ｊの磁気の光子を作り、これが引力になっていて、これが電気の光子になっている。
電気の光子はラブの走る反対方向に走る。
【請求項１２】
原子番号の大きい元素の電気四重極モーメントが大きいのはどうしてか。
中性子の場合。
２１１９４Ｐｕは、スピンは５／２で、磁気モーメントは−０．６９で、電気モーメントは５．６です。
１／２スピンで、磁気モーメントは−０．１３８で、電気モーメントは１．１２です。
この中性子の電子のラブの公転軌道は、６．３１３５×１０−１４ｍ×０．１３８＝８．７１２６×１０−１５ｍです。
この公転軌道の中に、２４１−９４＝１４７個の中性子が公転している。
１７３７０Ｙｂは、スピンは５／２で、磁気モーメントは−０．６７９５で、電気モーメントは３．０です。
１／２スピンで、磁気モーメントは−０．１３６で、電気モーメントは０．６です。
この中性子の電子のラブの公転軌道は、６．３１３５×１０−１４ｍ×０．１３６＝８．５８６×１０−１５ｍです。
この公転軌道の中に、１７３−７０＝１０３個の中性子が公転している。
７９３４Ｓｅは、スピンは７／２で、磁気モーメントは−１．０１８で、電気モーメントは０．８です。
１／２スピンで、磁気モーメントは−０．１４５で、電気モーメントは０．１１４です。
この中性子の電子のラブの公転軌道は、６．３１３５×１０−１４ｍ×０．１４５＝９．１５×１０−１５ｍです。
この公転軌道の中に、７９−３４＝４５個の中性子が公転している。
２５１２Ｍｇは、スピンは５／２で、磁気モーメントは−０．８５５１２で、電気モーメントは＋０．２２です。
１／２スピンで、磁気モーメントは−０．１７１で、電気モーメントは０．０４４です。
この中性子の電子のラブの公転軌道は、６．３１３５×１０−１４ｍ×０．１７１＝１．０８×１０−１４ｍです。
この公転軌道の中に、２５−１２＝１３個の中性子が公転している。
中性子と中性子の間隔は、
Ｐｕは、８．７１２６×１０−１５ｍ÷１４７＝５．９２×１０−１７ｍです。
Ｙｂは、８．５８６×１０−１５ｍ÷１０３＝８．３３５×１０−１７ｍです。
Ｓｅは、９．１５×１０−１５ｍ÷４５＝２×１０−１６ｍです。
Ｍｇは、１．０８×１０−１４ｍ÷１３＝８．３×１０−１６ｍです。
よって、中性子と中性子の間隔が短い程、たくさんの電気モーメントができる。
中性子の数÷公転軌道＝中性子の公転軌道における中性子の密度は、
Ｐｕ：Ｙｂ：Ｓｅ：Ｍｇ＝１４７÷（８．７１２６×１０−１５ｍ）：１０３÷（８．５８６×１０−１５ｍ）：４５÷（９．１５×１０−１５ｍ）：１３÷（１．０８×１０−１４ｍ）＝１６．８７：１１．９９：４．９２：１．２＝１４．０６：９．９９：４．１：１＝１４：１０：４：１＝０．６１６：０．４４：０．１７６：０．０４４  です。
この値に対し、１／２スピンでできる電気モーメントは、
Ｐｕ：Ｙｂ：Ｓｅ：Ｍｇ＝１．１２：０．６：０．１１４：０．０４４  です。
よって、中性子の公転軌道における中性子の密度が大きいほど、電気モーメントは大きい。
この事により、中性子の公転軌道には、元素の中性子全てが公転している事が理解できる。
【請求項１３】
ラブの回転方向と、電気の光子の回転方向と、磁気の光子の回転方向はどのようであるか。ラブの回転力は何によってできるか。
陽子のラブと電子のラブが自転して磁気の光子ができる。磁気の光子の束が公転し、電気の光子となる。その電気の光子は、ラブの回転方向と反対の方向に回転する。
ラブの回転方向と、電気の光子の回転方向と、磁気の光子の回転方向は２つのリングをはめ込んだ形である。
これは、親指と中指をつなぎ、人差し指を丸めた形です。
それで、ラブの走る力は、磁気の光子と電気の光子によってできる、とも考えられる。
ラブの回転力は、磁気の光子の回転と電気の光子の回転によってできる、とも考えられる。
【発明の詳細な説明】
【技術分野】
【０００１】  本発明は中性子と素粒子に関する。中性子の電子と中性子の陽子と陽子と、核磁気モーメントに関する。
【背景技術】
【０００２】  本発明者は２００５年６月２９日に提出した、特願２００５−２１７９７６において、電子の秒速を４×１０６ｍとし、陽子の秒速を２×１０３ｍとして計算した。
今回、本発明者は電子の秒速は変化する。陽子の秒速は変化する。中性子の電子のラブの秒速は変化する。中性子の陽子のラブの秒速は変化する。そして、電子のラブと陽子のラブと中性子の電子のラブと中性子の陽子のラブは１秒間に１０２４回自転し、１０１６回公転すると考える。
【発明の開示】
本発明者は２００５年６月２９日に提出した、特願２００５−２１７９７６において、
核磁気モーメントが−Ａの場合、中性子の電子のラブが１自転してできる磁気の光子１個のエネルギー＝３．９６４２５×１０−４１Ｊ×Ａで、自転軌道＝６．１９４１９×１０−２２ｍ×Ａであるとした。
そうすると、ラブが１自転してできる磁気の光子１個のエネルギー×自転軌道＝３．９６４２５×１０−４１Ｊ×Ａ×６．１９４１９×１０−２２ｍ×Ａ＝２．４５５５×１０６２Ｊ・ｍ×Ａ２であり、これは間違いです。
核磁気モーメントが＋Ａの場合、陽子のラブが１自転してできる磁気の光子１個のエネルギー＝７．９２８５×１０−３８Ｊ×Ａで、自転軌道＝６．６１×１０−２２ｍ×Ａであるとした。
そうすると、陽子のラブが１自転してできる磁気の光子１個のエネルギー×自転軌道＝７．９２８５×１０−３８Ｊ×Ａ×６．６１×１０−２２ｍ×Ａ＝５．２４１×１０５９Ｊ・ｍ×Ａ２であり、これは間違いです。
ラブが１自転してできる磁気の光子１個のエネルギー×自転軌道＝５．０５０８×１０−５９Ｊ・ｍ×Ａでなければならない。
【発明が解決しようとする課題】
【０００３】１．核磁子は５．０５０８×１０−２７Ｊ／Ｔ＝５．０５０８×１０−２７Ｊ・ｍであり、これは、陽子のラブの公転軌道エネルギーです。
２．１／２スピンで、核磁気モーメントが＋Ａであると、陽子のラブの公転軌道エネルギーは、５．０５０８×１０−２７×ＡＪ・ｍです。
３．１自転でできる磁気の光子１個のエネルギー×自転軌道は、５．０５０８×１０−５９×ＡＪ・ｍです。はたして、１自転でできる磁気の光子１個のエネルギーがＡ倍であるのか、自転軌道がＡ倍であるのか。
４．核磁子の自転軌道と１自転でできる磁気の光子１個のエネルギーはどれ位か。
５．核磁気モーメントが＋Ａ又は、−Ａの場合、ラブが１自転してできる磁気の光子１個のエネルギーと、ラブが１秒間自転してできる磁気の光子のエネルギーと、ラブの自転軌道と、ラブの公転軌道と、ラブが１自転してできる磁気の光子１個のエネルギー×ラブの自転軌道と、ラブが１秒間自転してできる磁気の光子のエネルギー×ラブの自転軌道と、ラブが１秒間自転してできる磁気の光子のエネルギー×ラブの公転軌道と、ラブの秒速  の式はどのようであるか。
６．中性子の核磁気モーメントは、−１．９１３です。中性子の電子のラブの自転軌道と公転軌道はどれ位か。中性子の陽子のラブの自転軌道はどれ位か。中性子の電子のラブの自転軌道×電子のラブが１自転してできる磁気の光子１個のエネルギーはどれ位か。中性子の電子のラブの自転軌道×電子のラブが１秒間自転してできる磁気の光子のエネルギーはどれ位か。中性子の電子のラブの公転軌道×電子のラブが１秒間自転してできる磁気の光子のエネルギーはどれ位か。中性子の電子のラブの秒速はどれ位か。
７．核磁気モーメントの＋Ａの平均は約＋０．７です。この場合、陽子のラブの自転軌道と、陽子のラブの公転軌道と、陽子のラブの自転軌道×陽子のラブが１自転してできる磁気の光子１個のエネルギーと、陽子のラブの自転軌道×陽子のラブが１秒間自転してできる磁気の光子のエネルギーと、陽子のラブの公転軌道×陽子のラブが１秒間自転してできる磁気の光子のエネルギーと、陽子のラブの秒速はどれ位か。
８．核磁気モーメントの−Ａの平均は約−０．１５です。この場合、中性子の電子のラブの自転軌道と、公転軌道と、中性子の電子のラブの自転軌道×中性子の電子のラブが１自転してできる磁気の光子１個のエネルギーと、中性子の電子のラブの自転軌道×中性子の電子のラブが１秒間自転してできる磁気の光子のエネルギーと、中性子の電子のラブの公転軌道×中性子の電子のラブが１秒間自転してできる磁気の光子のエネルギーと、中性子の電子のラブの秒速はどれ位か。
９．中性子はどのようになっているか。
１０．どうして、中性子の磁気モーメントは−より現れないのか。
１１．中性子と陽子と電子の引力について。
１２．原子番号の大きい元素の電気四重極モーメントが大きいのはどうしてか。
１３．ラブの回転方向と、電気の光子の回転方向と、磁気の光子の回転方向はどのようであるか。ラブの回転力は何によってできるか。
【発明を解決する手段】
【０００４】１自転でできる磁気の光子１個のエネルギー×自転軌道は、５．０５０８×１０−５９×ＡＪ・ｍです。
はたして、Ａ倍なのはエネルギーなのか、軌道なのか。
特性Ｘ線のＫ吸収端の光子の波長は、原子番号が大きいほど小さい。
このことは、電子の軌道は、陽子の数に左右されている。どの元素の陽子も同じ磁気のエネルギーを作っている、と考える。陽子のラブは、自転軌道に左右されず、同じ磁気の光子のエネルギーを作っていると考える。
▲１▼１自転でできる磁気の光子１個のエネルギーがＡ倍であるとする。
エネルギーがＡ倍であるとすると、自転軌道はどの元素も同じです。自転軌道は核磁子の自転軌道で一定です。それなのに、エネルギーは元素によって変わっている。この事は、中性子の電子のラブの質量エネルギーは元素によって異なる。陽子のラブの質量エネルギーは元素によって異なる事です。
もし、元素によって電子のラブの質量エネルギーが異なるとしますと、星の中の中央でできた元素ほど、中性子の電子のラブの質量エネルギーは大きいはずです。陽子のラブの質量エネルギーは大きいはずです。Ａの値は、原子番号の大きいほど大きいはずです。
しかし、Ａの値はその逆です。Ｈが１番大きい値です。
３２Ｈｅは、１／２スピンで−２．１２７５６です。２４１９４Ｐｕは、５／２スピンで−０．６９ですから、１／２スピンで−０．１３８です。
この事から、中性子の電子のラブの質量エネルギーはどの元素も同じである。陽子のラブの質量エネルギーはどの元素も同じである。
それで、軌道がＡ倍であると考えます。
【発明の実施態様】
【０００５】１．  核磁子は５．０５０８×１０−２７Ｊ／Ｔ＝５．０５０８×１０−２７Ｊ・ｍであり、これは、陽子のラブの公転軌道エネルギーです。
核磁子は５．０５０８×１０−２７Ｊ／Ｔです。
これは、束になっている磁気の光子の１秒間の運動エネルギーです。
磁気の光子は１０８個が束になっていて、これは１公転になっています。
５．０５０８×１０−２７Ｊ／Ｔは、陽子のラブが１秒間に作る磁気の光子のエネルギー×公転軌道です。
５．０５０８×１０−２７Ｊ／Ｔ＝束になっている磁気の光子の１秒間の運動エネルギー＝陽子のラブが１秒間に作る、束になっている磁気の光子のエネルギー×１公転軌＝５．０５０８×１０−２７Ｊ・ｍ＝公転軌道エネルギー  です。
核磁子は５．０５０８×１０−２７Ｊ／Ｔ＝５．０５０８×１０−２７Ｊ・ｍであり、これは、陽子のラブの公転軌道エネルギーです。
本発明者が今まで考えていた陽子と、核磁子を作る陽子を区別するために、（核磁子の）陽子と記す。
（核磁子の）陽子のラブの自転軌道エネルギーは、自転軌道は公転軌道の１０−８倍ですから、核磁子の１０−８倍です。
（核磁子の）陽子のラブの自転軌道エネルギーは、
５．０５０８×１０−２７Ｊ／Ｔ×１０−８＝５．０５０８×１０−３５Ｊ／Ｔ＝５．０５０８×１０−３５Ｊ・ｍです。
これは、陽子のラブが１秒間に作る磁気の光子のエネルギー×自転軌道＝引力の式です。
（核磁子の）陽子のラブが１自転してできる磁気の光子１個のエネルギー×自転軌道は、核磁子の  １０２４分の１×１０−８＝１０−２４−８＝１０−３２倍です。
（核磁子の）陽子のラブが１自転してできる磁気の光子１個のエネルギー×自転軌道＝５．０５０８×１０−２７Ｊ／Ｔ×１０−３２倍＝５．０５０８×１０−５９Ｊ・ｍです。
２．  １／２スピンで、核磁気モーメントが＋Ａであると、陽子のラブの公転軌道エネルギーは、５．０５０８×１０−２７×ＡＪ・ｍです。
１秒間にできる磁気の光子のエネルギー×自転軌道は、５．０５０８×１０−３５×ＡＪ・ｍです。これは引力の式です。１自転でできる磁気の光子１個のエネルギー×自転軌道は、５．０５０８×１０−５９×ＡＪ・ｍです。
１／２スピンで、核磁気モーメントが−Ａであると、中性子の電子のラブの公転軌道エネルギーは、５．０５０８×１０−２７×ＡＪ・ｍです。１秒間にできる磁気の光子のエネルギー×自転軌道は、５．０５０８×１０−３５×ＡＪ・ｍです。これは引力の式です。１自転でできる磁気の光子１個のエネルギー×自転軌道は、５．０５０８×１０−５９×ＡＪ・ｍです。
３．  １自転でできる磁気の光子１個のエネルギー×自転軌道は、５．０５０８×１０−５９×ＡＪ・ｍです。はたして、１自転でできる磁気の光子１個のエネルギーがＡ倍であるのか、自転軌道がＡ倍であるのか。
▲１▼自転でできる磁気の光子１個のエネルギーがＡ倍であるとする。
エネルギーがＡ倍であるとすると、自転軌道はどの元素も同じです。自転軌道は（核磁子の）陽子のラブの自転軌道で一定です。それなのに、エネルギーは元素によって変わっている。この事は、中性子の電子のラブの質量エネルギーは元素によって異なる。陽子のラブの質量エネルギーは元素によって異なる事です。
もし、元素によって電子のラブの質量エネルギーが異なるとしますと、星の中の中央でできた元素ほど、中性子の電子のラブの質量エネルギーは大きいはずです。陽子のラブの質量エネルギーは大きいはずです。Ａの値は、原子番号の大きいほど大きいはずです。
しかし、Ａの値はその逆です。Ｈが１番大きい値です。
３２Ｈｅは、１／２スピンで−２．１２７５６です。２４１９４Ｐｕは、５／２スピンで−０．６９ですから、１／２スピンで−０．１３８です。
この事から、中性子の電子のラブの質量エネルギーはどの元素も同じである。陽子のラブの質量エネルギーはどの元素も同じである。
それで、軌道がＡ倍であると考えます。
▲２▼軌道がＡ倍です。
ラブの自転軌道＝核磁子の自転軌道×Ａ
１自転でできる磁気の光子１個のエネルギー×自転軌道＝５．０５０８×１０−５９×ＡＪ・ｍですから、自転軌道＝５．０５０８×１０−５９×ＡＪ・ｍ÷１自転でできる磁気の光子１個のエネルギー
核磁子の自転軌道×Ａ＝５．０５０８×１０−５９×ＡＪ・ｍ÷１自転でできる磁気の光子１個のエネルギー
核磁子の自転軌道＝５．０５０８×１０−５９Ｊ・ｍ÷１自転でできる磁気の光子１個のエネルギー
１自転でできる磁気の光子１個のエネルギー＝５．０５０８×１０−５９Ｊ・ｍ÷核磁子の自転軌道
４．  核磁子の自転軌道と１自転でできる磁気の光子１個のエネルギーはどれ位か。
本発明者の考えている、陽子のラブの自転軌道は６．６７×１０−２２ｍで、１自転でできる磁気の光子１個のエネルギーは８×１０−３８Ｊです。
陽子のラブの自転軌道×１自転でできる磁気の光子１個のエネルギー＝６．６７×１０−２２ｍ×８×１０−３８Ｊ＝５．３３６×１０−５９Ｊ・ｍ
核磁子の、陽子のラブの自転軌道×１自転でできる磁気の光子１個のエネルギー＝５．０５０８×１０−５９Ｊ・ｍですから、
本発明者の考えている陽子のラブは、５．３３６×１０−５９Ｊ・ｍ÷（５．０５０８×１０−５９Ｊ・ｍ）＝１．０５６４６６
１．０５６４６６核磁子です。
本発明者の考えている陽子のラブは、磁気モーメントが１．０５６４６６です。
それで、（核磁子の）陽子のラブの自転軌道は、６．６７×１０−２２ｍ÷１．０５６４６６＝６．３１３５×１０−２２ｍです。
１自転でできる磁気の光子１個のエネルギーは、８×１０−３８Ｊです。
（核磁子の）陽子のラブの公転軌道は、６．３１３５×１０−１４ｍです。
（核磁子の）陽子のラブの自転軌道×１自転でできる磁気の光子１個のエネルギー＝６．３１３５×１０−２２ｍ×８×１０−３８Ｊ＝５．０５０８×１０−５９Ｊ・ｍです。
（核磁子の）陽子のラブの自転軌道×陽子のラブが１秒間自転してできる磁気の光子のエネルギー＝６．３１３５×１０−２２ｍ×８×１０−３８Ｊ×１０２４＝５．０５０８×１０−３５Ｊ・ｍです。
（核磁子の）陽子のラブの公転軌道×陽子のラブが１秒間自転してできる磁気の光子のエネルギー＝６．３１３５×１０−１４ｍ×８×１０−３８Ｊ×１０２４＝５．０５０８×１０−２７Ｊ・ｍです。
５．  核磁気モーメントが＋Ａ又は、−Ａの場合、ラブが１自転してできる磁気の光子１個のエネルギーと、ラブが１秒間自転してできる磁気の光子のエネルギーと、ラブの自転軌道と、ラブの公転軌道と、ラブが１自転してできる磁気の光子１個のエネルギー×ラブの自転軌道と、ラブが１秒間自転してできる磁気の光子のエネルギー×ラブの自転軌道と、ラブが１秒間自転してできる磁気の光子のエネルギー×ラブの公転軌道と、ラブの秒速の式はどのようであるか。
ラブが１自転してできる磁気の光子１個のエネルギーは、８×１０−３８Ｊです。
ラブが１秒間自転してできる磁気の光子のエネルギーは、８×１０−３８Ｊ×１０２４個＝８×１０−１４Ｊです。
ラブの自転軌道は、核磁子の自転軌道×Ａ＝６．３１３５×１０−２２ｍ×Ａ  です。
ラブの公転軌道は、核磁子の自転軌道×１０８×Ａ＝６．３１３５×１０−１４ｍ×Ａ  です。
ラブが１自転してできる磁気の光子１個のエネルギー×ラブの自転軌道＝８×１０−３８Ｊ×６．３１３５×１０−２２ｍ×Ａ＝５．０５０８×１０−５９×ＡＪ・ｍ
ラブが１秒間自転してできる磁気の光子のエネルギー×ラブの自転軌道＝８×１０−１４Ｊ×６．３１３５×１０−２２ｍ×Ａ＝５．０５０８×１０−３５×ＡＪ・ｍ
ラブが１秒間自転してできる磁気の光子のエネルギー×ラブの公転軌道＝８×１０−１４Ｊ×６．３１３５×１０−１４ｍ×Ａ  ＝５．０５０８×１０−２７×ＡＪ・ｍ
秒速＝３．１４×公転軌道×１０１６＝３．１４×６．３１３５×１０−１４ｍ×Ａ×１０１６＝１．９８２４×１０３ｍ×Ａ
６．  中性子の核磁気モーメントは、−１．９１３です。中性子の電子のラブの自転軌道と公転軌道はどれ位か。中性子の陽子のラブの自転軌道はどれ位か。中性子の電子のラブの自転軌道×中性子の電子のラブが１自転してできる磁気の光子１個のエネルギーはどれ位か。中性子の電子のラブの自転軌道×中性子の電子のラブが１秒間自転してできる磁気の光子のエネルギーはどれ位か。中性子の電子のラブの公転軌道×中性子の電子のラブが１秒間自転してできる磁気の光子のエネルギーはどれ位か。中性子の電子のラブの秒速はどれ位か。図１
中性子の電子のラブの自転軌道は、６．３１３５×１０−２２ｍ×１．９１３＝１．２０７８×１０−２１ｍです。
中性子の電子のラブの公転軌道は、６．３１３５×１０−１４ｍ×１．９１３＝１．２０７８×１０−１３ｍです。
中性子の陽子のラブの自転軌道は、中性子の電子のラブの自転軌道の１８７５分の１ですから、１．２０７８×１０−２１ｍ÷１８７５＝６．４４１６×１０−２５ｍです。
中性子の電子のラブの自転軌道×中性子の電子のラブが１自転してできる磁気の光子１個のエネルギー＝１．２０７８×１０−２１ｍ×８×１０−３８Ｊ＝９．６６２×１０−５９Ｊ・ｍ
中性子の電子のラブの自転軌道×中性子の電子のラブが１秒間自転してできる磁気の光子のエネルギー＝１．２０７８×１０−２１ｍ×８×１０−１４Ｊ＝９．６６２×１０−３５Ｊ・ｍ
中性子の電子のラブの公転軌道×中性子の電子のラブが１秒間自転してできる磁気の光子のエネルギー＝１．２０７８×１０−１３ｍ×８×１０−１４Ｊ＝９．６６２×１０−２７Ｊ・ｍ
中性子の電子のラブの秒速は、１．９８２４×１０３ｍ×１．９１３＝３．７９２×１０３ｍです。
７．  核磁気モーメントの＋Ａの平均は約＋０．７です。この場合、陽子のラブの自転軌道と、陽子のラブの公転軌道と、陽子のラブの自転軌道×陽子のラブが１自転してできる磁気の光子１個のエネルギーと、陽子のラブの自転軌道×陽子のラブが１秒間自転してできる磁気の光子のエネルギーと、陽子のラブの公転軌道×陽子のラブが１秒間自転してできる磁気の光子のエネルギーと、陽子のラブの秒速はどれ位か。図２
陽子のラブの自転軌道は、６．３１３５×１０−２２ｍ×０．７＝４．４１９×１０−２２ｍです。
陽子のラブの公転軌道は、４．４１９×１０−２２ｍ×１０８＝４．４１９×１０−１４ｍです。
陽子のラブの自転軌道×陽子のラブが１自転してできる磁気の光子１個のエネルギー＝４．４１９×１０−２２ｍ×８×１０−３８Ｊ＝３．５３５２×１０−５９Ｊ・ｍ
陽子のラブの自転軌道×陽子のラブが１秒間自転してできる磁気の光子のエネルギー＝４．４１９×１０−２２ｍ×８×１０−１４Ｊ＝３．５３５２×１０−３５Ｊ・ｍ
陽子のラブの公転軌道×陽子のラブが１秒間自転してできる磁気の光子のエネルギー＝４．４１９×１０−２２ｍ×１０８×８×１０−１４Ｊ＝３．５３５２×１０−２７Ｊ・ｍ
陽子のラブの秒速は、１．９８２４×１０３ｍ×０．７＝１．３８７７×１０３ｍです。
８．  核磁気モーメントの−Ａの平均は約−０．１５です。この場合、中性子の電子のラブの自転軌道と、公転軌道と、中性子の陽子のラブの自転軌道と、中性子の電子のラブの自転軌道×中性子の電子のラブが１自転してできる磁気の光子１個のエネルギーと、中性子の電子のラブの自転軌道×中性子の電子のラブが１秒間自転してできる磁気の光子のエネルギーと、中性子の電子のラブの公転軌道×中性子の電子のラブが１秒間自転してできる磁気の光子のエネルギーと、中性子の電子のラブの秒速はどれ位か。図３
中性子の電子のラブの自転軌道は、６．３１３５×１０−２２ｍ×０．１５＝９．４７×１０−２３ｍです。
中性子の電子のラブの公転軌道は、９．４７×１０−２３ｍ×１０８＝９．４７×１０−１５ｍです。
中性子の陽子のラブの自転軌道は、９．４７×１０−２３ｍ÷１８７５＝５×１０−２６ｍです。
中性子の電子のラブの自転軌道×中性子の電子のラブが１自転してできる磁気の光子１個のエネルギー＝９．４７×１０−２３ｍ×８×１０−３８Ｊ＝７．５７６×１０−６０Ｊ・ｍ
中性子の電子のラブの自転軌道×中性子の電子のラブが１秒間自転してできる磁気の光子のエネルギー＝９．４７×１０−２３ｍ×８×１０−１４Ｊ＝７．５７６×１０−３６Ｊ・ｍ
中性子の電子のラブの公転軌道×中性子の電子のラブが１秒間自転してできる磁気の光子のエネルギー＝９．４７×１０−１５ｍ×８×１０−１４Ｊ＝７．５７６×１０−２８Ｊ・ｍ
中性子の電子のラブの秒速は、１．９８２４×１０３×０．１５＝２．９７３×１０２ｍです。
これらを表にする。
2006197793.tif 000003
2006197793.tif 000004
９．  中性子はどのようになっているか。図４
中性子は中性子の電子のラブの自転のなかで、中性子の陽子のラブが自転しています。
中性子の電子のラブが公転すると、中性子の陽子のラブは、いわば、中性子の電子のラブの車に乗った状態で、共に公転します。
中性子の電子のラブが１自転で作る磁気の光子１個のエネルギーは、８×１０−３８Ｊです。
１秒間自転して作る磁気の光子のエネルギーは、８×１０−１４Ｊです。この磁気の光子のエネルギーが引力になり、中性子の陽子のラブを引いている。
中性子の陽子のラブが１自転で作る磁気の光子１個のエネルギーは、８×１０−３８Ｊです。
１秒間自転して作る磁気の光子のエネルギーは、８×１０−１４Ｊです。この磁気の光子のエネルギーが引力になり、中性子の電子のラブを引いている。
中性子の電子のラブと陽子のラブはお互い引き合って自転しているので、自転の方向は同じです。自転の回数は同じです。
中性子の電子のラブは、１０８回自転し、１公転する。１秒間に１０２４回自転し、１０１６回公転する。
中性子の電子のラブの自転軌道は、核磁気モーメントが−Ａの場合、（核磁子の）陽子のラブの自転軌道×Ａです。
中性子の陽子のラブの自転軌道は、中性子の電子のラブの自転軌道の１８７５分の１です。
中性子の大きさは、中性子の電子のラブの自転軌道であるとも理解できる。
中性子の大きさは、中性子の電子のラブの公転軌道であるとも理解できる。
１０．  どうして、中性子の磁気モーメントは−より現れないのか。
中性子の陽子のラブと中性子の電子のラブが１秒間に作る磁気の光子のエネルギーは８×１０−１４Ｊで、等しい。
中性子の陽子のラブの自転軌道は、中性子の電子のラブの自転軌道の１８７５分の１です。
それで、引力の式である、自転軌道×１秒間にできる磁気の光子のエネルギーは
中性子の電子のラブが１秒間自転してできる磁気の光子のエネルギー×中性子の電子のラブの自転軌道＝８×１０−１４Ｊ×６．３１３５×１０−２２ｍ×Ａ＝５．０５０８×１０−３５×ＡＪ・ｍ
中性子の陽子のラブが１秒間自転してできる磁気の光子のエネルギー×中性子の陽子ラブの自転軌道＝８×１０−１４Ｊ×６．３１３５×１０−２２ｍ×Ａ÷１８７５＝２．６９３８×１０−３８×ＡＪ・ｍ
それで、１ｍの軌道では、中性子の電子のラブが作る磁気の光子のエネルギーは、５．０５０８×１０−３５×ＡＪで、中性子の陽子のラブが作る磁気の光子のエネルギーは、２．６９３８×１０−３８×ＡＪです。
よって、１ｍの軌道では、中性子の陽子のラブが作る磁気の光子のエネルギーは、中性子の電子のラブが作る磁気の光子のエネルギーの、２．６９３８×１０−３８×ＡＪ÷（５．０５０８×１０−３５×ＡＪ）＝５．３３３×１０−４倍ですから、＋の磁気モーメントは現れない。
１１．  中性子と陽子と電子の引力について。図５
中性子の陽子のラブは１秒間に８×１０−１４Ｊの磁気の光子を作り、これが引力になっている。
中性子の電子のラブは１秒開に８×１０−１４Ｊの磁気の光子を作り、これが引力になっている。
陽子のラブは１秒間に８×１０−１４Ｊの磁気の光子を作り、これが引力になっている。
電子のラブは１秒間に８×１０−１４Ｊの磁気の光子を作り、これが引力になっている。
中性子の陽子のラブは１自転で８×１０−３８Ｊの磁気の光子を作り、これが引力になっている。
中性子の電子のラブは１自転で８×１０−３８Ｊの磁気の光子を作り、これが引力になっている。
陽子のラブは１自転で８×１０−３８Ｊの磁気の光子を作り、これが引力になっている。
電子のラブは１自転で８×１０−３８Ｊの磁気の光子を作り、これが引力になっている。
中性子の陽子のラブは１公転で８×１０−３０Ｊの磁気の光子を作り、これが引力になっていて、これが電気の光子となっている。中性子の電子のラブは１公転で８×１０−３０Ｊの磁気の光子を作り、これが引力になっていて、これが電気の光子となっている。陽子のラブは１公転で８×１０−３０Ｊの磁気の光子を作り、これが引力になっていて、これが電気の光子になっている。
電子のラブは１公転で８×１０−３０Ｊの磁気の光子を作り、これが引力になっていて、これが電気の光子になっている。
電気の光子はラブの走る反対方向に走る。
１２．  原子番号の大きい元素の電気四重極モーメントが大きいのはどうしてか。
中性子の場合。
２１１９４Ｐｕは、スピンは５／２で、磁気モーメントは−０．６９で、電気モーメントは５．６です。
１／２スピンで、磁気モーメントは−０．１３８で、電気モーメントは１．１２です。
この中性子の電子のラブの公転軌道は、６．３１３５×１０−１４ｍ×０．１３８＝８．７１２６×１０−１５ｍです。
この公転軌道の中に、２４１−９４＝１４７個の中性子が公転している。
１７３７０Ｙｂは、スピンは５／２で、磁気モーメントは−０．６７９５で、電気モーメントは３．０です。
１／２スピンで、磁気モーメントは−０．１３６で、電気モーメントは０．６です。
この中性子の電子のラブの公転軌道は、６．３１３５×１０−１４ｍ×０．１３６＝８．５８６×１０−１５ｍです。
この公転軌道の中に、１７３−７０＝１０３個の中性子が公転している。
７９３４Ｓｅは、スピンは７／２で、磁気モーメントは−１．０１８で、電気モーメントは０．８です。
１／２スピンで、磁気モーメントは−０．１４５で、電気モーメントは０．１１４です。
この中性子の電子のラブの公転軌道は、６．３１３５×１０−１４ｍ×０．１４５＝９．１５×１０−１５ｍです。
この公転軌道の中に、７９−３４＝４５個の中性子が公転している。
２５１２Ｍｇは、スピンは５／２で、磁気モーメントは−０．８５５１２で、電気モーメントは＋０．２２です。
１／２スピンで、磁気モーメントは−０．１７１で、電気モーメントは０．０４４です。
この中性子の電子のラブの公転軌道は、６．３１３５×１０−１４ｍ×０．１７１＝１．０８×１０−１４ｍです。
この公転軌道の中に、２５−１２＝１３個の中性子が公転している。
中性子と中性子の間隔は、
Ｐｕは、８．７１２６×１０−１５ｍ÷１４７＝５．９２×１０−１７ｍです。
Ｙｂは、８．５８６×１０−１５ｍ÷１０３＝８．３３５×１０−１７ｍです。
Ｓｅは、９．１５×１０−１５ｍ÷４５＝２×１０−１６ｍです。
Ｍｇは、１．０８×１０−１４ｍ÷１３＝８．３×１０−１６ｍです。
よって、中性子と中性子の間隔が短い程、たくさんの電気モーメントができる。
中性子の数÷公転軌道＝中性子の公転軌道における中性子の密度は、
Ｐｕ：Ｙｂ：Ｓｅ：Ｍｇ＝１４７÷（８．７１２６×１０−１５ｍ）：１０３÷（８．５８６×１０−１５ｍ）：４５÷（９．１５×１０−１５ｍ）：１３÷（１．０８×１０−１４ｍ）＝１６．８７：１１．９９：４．９２：１．２＝１４．０６：９．９９：４．１：１＝１４：１０：４：１＝０．６１６：０．４４：０．１７６：０．０４４  です。
この値に対し、１／２スピンでできる電気モーメントは、
Ｐｕ：Ｙｂ：Ｓｅ：Ｍｇ＝１．１２：０．６：０．１１４：０．０４４  です。
よって、中性子の公転軌道における中性子の密度が大きいほど、電気モーメントは大きい。
この事により、中性子の公転軌道には、元素の中性子全てが公転している事が理解できる。
１３．ラブの回転方向と、電気の光子の回転方向と、磁気の光子の回転方向はどのようであるか。ラブの回転力は何によってできるか。図７
陽子のラブと電子のラブが自転して磁気の光子ができる。磁気の光子の束が公転し、電気の光子となる。その電気の光子は、ラブの回転方向と反対の方向に回転する。
ラブの回転方向と、電気の光子の回転方向と、磁気の光子の回転方向は２つのリングをはめ込んだ形である。
これは、親指と中指をつなぎ、人差し指を丸めた形です。
それで、ラブの走る力は、磁気の光子と電気の光子によってできる、とも考えられる。
ラブの回転力は、磁気の光子の回転と電気の光子の回転によってできる、とも考えられる。
【発明の効果】
【０００６】本発明によって、次の事が理解できた。
１．ラブの自転軌道エネルギー＝５．０５０８×１０−３５Ｊ・ｍの式で、Ａ倍になるのは、ラブの自転軌道であり、１秒間にできる磁気の光子のエネルギーは一定である。
２．本発明者が従来考えていた陽子のラブの磁気モーメントは、＋１．０５６である。
３．核磁子を作る陽子のラブの自転軌道は、６．３１３５×１０−２２ｍである。
４．ラブが１自転して磁気の光子のエネルギーは一定（８×１０−３８Ｊ）である。
５．ラブが１公転してできる磁気の光子のエネルギーは、電気の光子のエネルギーと等しく、一定（８×１０−３０Ｊ）である。
６．ラブが１秒間自転してできる磁気の光子のエネルギーは、電気の光子のエネルギーと等しく、一定（８×１０−１４Ｊ）である。
７．中性子の陽子のラブと、中性子の電子のラブは同じ引力で引き合っている。それで、同じ方向で自転し、同じ回数自転している。
８．中性子の陽子のラブは、中性子の電子の自転の中で自転しているので、中性子の電子のラブの中に居て、電子のラブと一緒に公転している。
９．中性子の大きさは、中性子の電子のラブの自転軌道であるとも理解できる。
１０．中性子の大きさは、中性子の電子のラブの公転軌道であるとも理解できる。
１１．ラブの回転方向と、電気の光子の回転方向（＝電流の方向）と、磁気の光子の回転方向は、親指と中指をつなげ、人差し指を丸めた形です。
１２．ラブの回転力は、磁気の光子の回転と電気の光子の回転によってできる、とも考えられる。
【図面の簡単な説明】
【０００７】
【図１】磁気モーメントが−１．９１３である中性子の電子のラブの自転軌道は、６．３１３５×１０−２２ｍ×１．９１３＝１．２０７８×１０−２１ｍです。公転軌道は、６．３１３５×１０−１４ｍ×１．９１３＝１．２０７８×１０−１３ｍです。中性子の陽子のラブの自転軌道は、中性子の電子のラブの自転軌道の１８７５分の１ですから、１．２０７８×１０−２１ｍ÷１８７５＝６．４４１６×１０−２５ｍです。
【図２】核磁気モーメントが＋０．７である陽子のラブの自転軌道は、６．３１３５×１０−２２ｍ×０．７＝４．４１９×１０−２２ｍです。公転軌道は、４．４１９×１０−２２ｍ×１０８＝４．４１９×１０−１４ｍです。
【図３】核磁気モーメントが−０．１５である中性子の電子のラブの自転軌道は、６．３１３５×１０２２ｍ×０．１５＝９．４７×１０−２３ｍです。公転軌道は、９．４７×１０−２３ｍ×１０８＝９．４７×１０−１５ｍです。中性子の陽子のラブの自転軌道は、９．４７×１０−２３ｍ÷１８７５＝５×１０−２６ｍです。
【図４】中性子は中性子の電子のラブの自転のなかで、中性子の陽子のラブが自転しています。中性子の電子のラブが公転すると、中性子の陽子のラブは、いわば、中性子の電子のラブの車に乗った状態で、共に公転します。中性子の陽子のラブの自転軌道は、中性子の電子のラブの自転軌道の１８７５分の１です。
【図５】中性子の陽子のラブは１秒間に８×１０−１４Ｊの磁気の光子を作り、これが引力になっている。中性子の電子のラブは１秒間に８×１０−１４Ｊの磁気の光子を作り、これが引力になっている。陽子のラブは１秒間に８×１０−１４Ｊの磁気の光子を作り、これが引力になっている。電子のラブは１秒間に８×１０−１４Ｊの磁気の光子を作り、これが引力になっている。
【図６】Ｐｕ：Ｙｂ：Ｓｅ：Ｍｇ＝１４７÷（８．７１２６×１０−１５ｍ）：１０３÷（８．５８６×１０−１５ｍ）：４５÷（９．１５×１０−１５ｍ）：１３÷（１．０８×１０−１４ｍ）＝１６．８７：１１．９９：４．９２：１．２＝１４．０６：９．９９：４．１：１＝１４：１０：４：１＝０．６１６：０．４４：０．１７６：０．０４４  です。この値に対し、１／２スピンでできる電気モーメントは、Ｐｕ：Ｙｂ：Ｓｅ：Ｍｇ＝１．１２：０．６：０．１１４：０．０４４  です。よって、中性子の公転軌道における中性子の密度が大きいほど、電気モーメントは大きい。この事により、中性子の公転軌道には、元素の中性子全てが公転している事が理解できる。
【図７】ラブの回転方向と、電気の光子の回転方向と、磁気の光子の回転方向は２つのリングをはめ込んだ形である。これは、親指と中指をつなぎ、人差し指を丸めた形です。ラブの回転力は、磁気の光子の回転と電気の光子の回転によってできる。
【符号の説明】
【０００８】１  中性子の電子のラブ
２  中性子の陽子のラブ
３  中性子の電子のラブの自転軌道
４  中性子の陽子のラブの自転軌道
５  陽子のラブ
６  自転軌道
７  公転軌道
８  電子のラブ
９  引力
１０  中性子の電子のラブの公転軌道における中性子の数
１１  中性子（中性子の電子のラブの自転軌道）
１２  中性子の密度と電気モーメント
１３  ラブの回転方向
１４  電流の回転方向（電気の光子の回転方向）
１５  磁気の光子の回転方向
１６  中指
１７  親指
１８  人差し指
【図１】
2006197793.tif 000005
【図２】
2006197793.tif 000006
【図３】
2006197793.tif 000007
【図４】
2006197793.tif 000008
【図５】
2006197793.tif 000009
【図６】
2006197793.tif 000010
【図７】
2006197793.tif 000011